(57)【要約】【課題】洗浄槽を大きくすることなく、簡単で、安価な構成で、食器類のセット性に優れた食器洗い機を提供する。【解決手段】洗浄槽（図示せず）内に配され開口部１７を有すると共に食器類（図示せず）を収納する上段カゴ１５と、開口部１７に臨ませて配設されると共に複数の連結部材１８を有する副カゴ１６とを備え、連結部材１８のそれぞれに上段カゴ１５に係止される係止部１９を上下方向に複数設けたもので、例えば、上段カゴ１５に食器類をセットする場合、当初の位置より上側の係止部１９で副カゴ１６を係止すると、副カゴ１６内のセットスペースが大きくなり、大きな食器類がセットできるようになる。また、当初の位置より下側の係止部１９で副カゴ１６を係止すれば、下段カゴ（図示せず）のセットスペースが大きくなり、同様に大きな食器類がセットできるようになる。【選択図】図２
2007130125.tif 000002
【特許請求の範囲】
【請求項１】
食器類を洗浄する洗浄槽と、前記洗浄槽内に配され開口部を有すると共に前記食器類を収納するカゴと、前記開口部に臨ませて配設されると共に複数の連結部材を有する副カゴとを備え、前記連結部材のそれぞれに、前記カゴに係止される係止部を上下方向に複数設けた食器洗い機。
【請求項２】
カゴを棒状の線材で形成し、連結部材に、複数の係止部と連通すると共に前記線材を挿入するための開口を設け、前記連結部材のそれぞれの前記開口を同じ向きとし、前記開口の開口幅を前記線材の外径寸法より小さくし、かつ、前記線材が前記開口を通過する際に、前記開口近傍の壁面の弾性により、前記開口が広がり、前記線材が前記開口を通過できるようにした請求項１に記載の食器洗い機。
【請求項３】
連結部材に、カゴの線材を複数の係止部との間を案内するガイド部を設けた請求項１又は２に記載の食器洗い機。
【発明の詳細な説明】
【技術分野】
【０００１】
本発明は、カゴにセットした食器類に洗浄水を噴射して洗浄する食器洗い機に関するものである。
【背景技術】
【０００２】
従来の一般的な食器洗い機は、図３、４に示すように構成されていた。以下に、従来の食器洗い機について図３、４を用いて説明する。
【０００３】
図３、４において、従来の食器洗い機は、前面に開口部１ａをもつ洗浄槽１と、開閉可能な扉２を有し、洗浄槽１の底部中央に洗浄水を噴射するノズル３が設けられ、洗浄槽１内には食器類１０を収容するカゴとして、上段カゴ４と下段カゴ５とが設けられている。扉２を開けている時には、下段カゴ５は、扉２と洗浄槽１との間を前後方向に引き出し移動可能である。上段カゴ４は、洗浄槽１内の壁面に設けられたレール部６によって、前後方向に移動自在に支持されている。
【０００４】
また、下段カゴ５上の中央付近には小物入れ７が固定され、洗浄槽１の底部には洗浄水を温水にするときなどに使用されるヒータ８が、洗浄槽１の下部の外側には、洗浄ポンプ９がそれぞれ設けられている。なお、食器類１０は、上段カゴ４、下段カゴ５にセットされ、小物入れ７にはスプーン、フォーク等のカトラリーの小物類１１がセットされ、洗浄槽１内の下部には排水口１２が設けられている。
【０００５】
また、図５に示すように、洗浄槽１内に上段カゴ４を前後方向に移動させるレール部６を上下に複数設けている食器洗い機もある。本図では、上下に３箇所にレール部６を設けている（例えば、特許文献１参照）。
【０００６】
次に、上記食器洗い機の動作について説明する。先ず、扉２を開いて、扉２上に下段カゴ５を引き出して食器類１０と小物入れ７に小物類１１をセットする動作と、上段カゴ４を前方に引き出して食器類１０をセットする動作を行う。
【０００７】
また、図５に示すように、レール部６を上下に３箇所設けている食器洗い機では、食器類１０のセット前に、食器類１０の大きさによって、レール部６をセレクトし、上段カゴ４を上下に移動させる。すなわち、食器類１０の大きさにより３段階の高さ調整が可能である。例えば、下段カゴ５にセットする食器類１０が大きい場合は、上段カゴ４を一番上のレール部６に支持させると良い。
【０００８】
そして、洗浄槽１内の洗浄水は、ヒータ８によって温水化され、洗浄ポンプ９にて洗浄槽１内の排水口１２から吸い込まれ、ノズル３に圧送され、ノズル３より勢いよく食器類１０に向けて噴射される。なお、ノズル３は回転しながら、洗浄水を噴射する。このようにして、上段カゴ４、下段カゴ５にセットされた食器類１０、小物入れ７にセットされた小物類１１が洗浄される。
【特許文献１】特開２００４−３２１２８３号公報
【発明の開示】
【発明が解決しようとする課題】
【０００９】
しかしながら、上記従来の食器洗い機の構成では、上段カゴ４、下段カゴ５とも、セットできる食器類１０の大きさは決まっている。そのため、直径の大きい皿類や鉢類、全長の長いコップ類をセットするとき、セットスペースより大きい食器は、セットできないという課題を有していた。
【００１０】
仮に、食器類１０のセットスペースを広く確保する手段として、洗浄槽１を大きくすると、食器洗い機本体が大きくなる。よって、食器洗い機が台所の流し台等に設置できないという問題を起こすので、大きい食器類１０のセット対応のため、一概に洗浄槽１を大きくする手段は良くない。
【００１１】
また、従来の食器洗い機において、上段カゴを上下する食器洗い機も見られるが、上段カゴを上下動させるために、上段カゴの両端に、上下にレール部を複数設けているものが多く、そのため、かえって、セットスペースが小さくなったり、上段カゴの上下動の機構にコストがかかるという問題が生じていた。
【００１２】
本発明は、上記従来の課題を解決するもので、洗浄槽を大きくすること無く、安価で簡単な構造で、カゴを上下動させて、直径の大きい皿類や鉢類、全長の長いコップ類等の食器類をセットするセットスペースを確保することができる、食器類のセット性に優れた食器洗い機を提供することを目的としている。
【課題を解決するための手段】
【００１３】
上記従来の課題を解決するために、本発明の食器洗い機は、食器類を洗浄する洗浄槽と、前記洗浄槽内に配され開口部を有すると共に前記食器類を収納するカゴと、前記開口部に臨ませて配設されると共に複数の連結部材を有する副カゴとを備え、前記連結部材のそれぞれに、前記カゴに係止される係止部を上下方向に複数設けたもので、例えば、洗浄槽内の上段カゴに上記副カゴを設けた場合、上段カゴのセットスペースに収容できない大きな食器をセットする場合、当初の位置より上側の係止部で副カゴを係止すると、副カゴ内のセットスペースが大きくなり、上段カゴのセットスペースに収容できない大きな食器類がセットできるようになる。また、当初の位置より下側の係止部で副カゴを係止するようにすれば、下段カゴのセットスペースが大きくなり、下段カゴのセットスペースに収容できない大きな食器類もセットできるようになり、洗浄槽を大きくしなくても、簡単で安価な構成で食器類のセット性が著しく向上するものである。
【発明の効果】
【００１４】
本発明の食器洗い機は、洗浄槽を大きくすること無く、安価で簡単な構成で、連結部材の上下方向に設けた係止部の位置を変えることにより、必要とするカゴのセットスペースを大きくでき、食器類のセット性を向上させることができるものである。
【発明を実施するための最良の形態】
【００１５】
第１の発明は、食器類を洗浄する洗浄槽と、前記洗浄槽内に配され開口部を有すると共に前記食器類を収納するカゴと、前記開口部に臨ませて配設されると共に複数の連結部材を有する副カゴとを備え、前記連結部材のそれぞれに、前記カゴに係止される係止部を上下方向に複数設けたもので、例えば、洗浄槽内の上段カゴに上記副カゴを設けた場合、上段カゴのセットスペースに収容できない大きな食器をセットする場合、当初の位置より上側の係止部で副カゴを係止すると、副カゴ内のセットスペースが大きくなり、上段カゴのセットスペースに収容できない大きな食器類がセットできるようになる。また、当初の位置より下側の係止部で副カゴを係止するようにすれば、下段カゴのセットスペースが大きくなり、下段カゴのセットスペースに収容できない大きな食器類もセットできるようになり、洗浄槽を大きくしなくても、簡単で安価な構成で食器類のセット性が著しく向上するものである。
【００１６】
第２の発明は、特に、第１の発明のカゴを棒状の線材で形成し、連結部材に、複数の係止部と連通すると共に前記線材を挿入するための開口を設け、前記連結部材のそれぞれの前記開口を同じ向きとし、前記開口の開口幅を前記線材の外径寸法より小さくし、かつ、前記線材が前記開口を通過する際に、前記開口近傍の壁面の弾性により、前記開口が広がり、前記線材が前記開口を通過できるようにしたもので、簡単で安価な構成で、連結部に設けた開口を通して、カゴの線材と副カゴとの連結、取り外しが容易にできると共に、通常のカゴの線材の位置の変更時には、容易に外れないので、使用勝手の良い食器洗い機を提供できる。
【００１７】
第３の発明は、特に、第１または第２の発明の連結部材に、カゴの線材を複数の係止部との間を案内するガイド部を設けたもので、連結部に設けた一つの係止部から他の係止部へのカゴの線材の位置の変更が、ガイド部に沿って案内されるので、係止位置変更が容易にできるものである。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における食器洗い機の正面図、図２は、同食器洗い機の要部斜視図及び副カゴの連結部材の側面図である。尚、従来例と同一部分については同一符号を付け、その説明を省略する。
【００２０】
図１、２において、本実施の形態における食器洗い機の食器類１０を収納するカゴとして、棒状の線材１５ａで構成された上段カゴ１５と、下段カゴ５と、４箇所の角に樹脂製の連結部材１８を有する副カゴ１６が洗浄槽１内に設けられている。上段カゴ１５の底面には開口部１７が設けられ、その開口部１７に、連結部材１８を介して副カゴ１６が係止される。他の構成は、従来例と同一なのでその説明を省略する。
【００２１】
連結部材１８のそれぞれは、上下方向に複数（本実施の形態では３箇所）の凹形状の係止部１９と、複数の係止部１９と連通すると共に係止部１９と逆側の壁面に設けられ上段カゴ１５を形成する線材１５ａの径より小さい開口２０ａを有する挿入部２０と、３箇所の係止部１９間に位置し挿入された上段カゴ１５の線材１５ａを案内するガイド部となる通路２１を備えている。４つの連結部材１８は、それぞれの挿入部２０、開口２０ａが同じ側に位置するように、副カゴ１６に固定されている。
【００２２】
また、上下方向の３つの係止部１９の内、中間の係止部１９の位置を当初の上段カゴ１５の基準位置とする。また、本実施の形態では、前後に位置する二つの連結部材１８の凹形状の係止部１９間のピッチと、係止部１９に係合する上段カゴ１５の線材１５ａの前後方向のピッチを同じにし、さらに左右に位置する連結部材１８の凹形状の係止部１９が同一直線上になるように設けている。なお、本実施の形態では、連結部材１８を樹脂で形成したが、棒状の線材でも同じように、係止部１９等を有する連結部材１８を構成できる。
【００２３】
以上のように構成された食器洗い機の上段カゴ１５、副カゴ１６の使用方法について説明する。
【００２４】
上段カゴ１５と副カゴ１６の連結は、副カゴ１６に固定された連結部材１８を上段カゴ１５に係合することによって行う。即ち、副カゴ１６に設けている連結部材１８の挿入部２０の開口２０ａ近傍の壁面を押し、挿入部２０の壁面に設けた開口２０ａを弾性力により広げ、上段カゴ１５の棒状の線材１５ａを通し、凹形状の係止部１９にかけることによって行う。
【００２５】
本実施の形態では、前後に位置する連結部材１８の凹形状の係止部１９のピッチと、係止部１９に係合する上段カゴ１５の棒状の線材１５ａの前後方向のピッチは同じで、しかも左右に位置する連結部材１８の凹形状の係止部１９も同一直線上になるように設けているため、一つの連結部材１８の係止部１９と上段カゴ１５の棒状の線材１５ａを係合させるだけで、４箇所とも係合させることができる。連結後、食器類１０のセットを行う。
【００２６】
この食器類１０のセット時、上段カゴ１５のセットスペースに収容できない大きな食器類１０をセットする場合は、凹形状の係止部１９の基準の位置すなわち中間の係止部１９より上側の係止部１９に、上段カゴ１５の棒状の線材１５ａをかけ直す。以上のように、３段階の高さ調整が可能で、副カゴ部１６のセットスペースが大きくなり、セットできなかった大きな食器類１０がセットできるようになる。また、当初の下段カゴ５のセットスペースに収容できない大きな食器類１０をセットする場合は、当初の位置すなわち中間の係止部１９より下側の係止部１９で副カゴ１６を係止するようにすれば、下段カゴ５のセットスペースを大きくすることができる。
【００２７】
以上のように本実施の形態によれば、洗浄槽１を大きくしなくても、コストをかけず簡単な構造で、副カゴ１６を上下動でき、下段カゴ５のセットスペースに収容できない大きな食器類１０もセットできるようになる。それ故に、食器類１０のセット性が大幅に向上するものである。
【００２８】
また、連結部材１８の壁面に、上段カゴ１５の線材１５ａの径より小さい開口２０ａを有する挿入部２０を設けたことにより、連結部材１８の挿入部２０の開口２０ａ近傍の壁面を、弾性力により広げて、上段カゴ１５の線材１５ａを挿入部２０の開口２０ａに通すことができるので、上段カゴ１５と副カゴ１６の連結、取り外しが容易にできる。しかも、通常の上段カゴ１５の棒状の線材１５ａの位置の変更時は、線材１５ａが通路２１内で単に上下方向で移動するだけで、開口２０ａを広げる方向には力が働かないので、挿入部２０の開口２０ａが広がることが無く、容易に外れない構成が簡単に実現できるものである。
【００２９】
また、４つの連結部材１８それぞれの挿入部２０の開口２０ａが同じ側になるように、連結部材１８が副カゴ１６に設けられていることにより、４つの連結部材１８で同時に、上段カゴ１５と副カゴ１６を連結したり、外したりすることが容易にできるものである。
【００３０】
また、上中下の３つの係止部１９との間を案内する通路２１を設けたことにより、連結部材１８に設けた一つの係止部１９から他の係止部１９への上段カゴ１５の線材１５ａの位置の変更が、通路２１に沿って、案内されるので、手の感覚だけでも、位置変更が容易にできるものである。
【産業上の利用可能性】
【００３１】
以上のように、本発明に係る食器洗い機は、洗浄槽を大きくしなくても、コストをかけず簡単な構造で、カゴを上下動でき、食器類、小物類等のセット性を向上できるもので、家庭用、業務用食器洗い機に適用できるものである。
【図面の簡単な説明】
【００３２】
【図１】本発明の実施の形態１における食器洗い機の正面図
【図２】（ａ）同食器洗い機の要部斜視図（ｂ）同食器洗い機の副カゴの連結部材の側面図
【図３】従来の食器洗い機の側断面図
【図４】同食器洗い機の正面図
【図５】従来の食器洗い機の他の例を示す正面図
【符号の説明】
【００３３】
１  洗浄槽
１５  上段カゴ（カゴ）
１６  副カゴ
１７  開口部
１８  連結部材
１９  係止部
２０  挿入部
２１  通路（ガイド部）
【図１】
2007130125.tif 000003
【図２】
2007130125.tif 000004
【図３】
2007130125.tif 000005
【図４】
2007130125.tif 000006
【図５】
2007130125.tif 000007